【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
ユーザ機器装置において用いられる、チャンネルガイド情報項目を提供する方法であって、前記ユーザ機器装置は、入力と、第１の伝送方式を用いて伝送された番組を受信する第１のチューナと、第２の伝送方式を用いて伝送された番組を受信する第２のチューナとを有し、
前記方法は、
チャンネルガイド情報項目を受信することであって、前記受信したチャンネルガイド情報項目は、前記第１の伝送方式を用いて番組を伝送する第１の番組ソースおよび前記第２の伝送方式を用いて番組を伝送する第２の番組ソースに対応するチャンネルガイド情報を含み、前記第１の番組ソースおよび前記第２の番組ソースのそれぞれは、複数のテレビチャンネルを伝送するように動作することが可能である、ことと、
前記複数のテレビチャンネルのための複数の項目を含む番組表を有するチャンネルガイドを提供することであって、前記チャンネルガイドは、前記第１の番組ソースおよび前記第２の番組ソースに少なくとも対応する前記チャンネルガイド情報を含み、前記番組表に含まれる前記複数の項目のうちの１つの項目は、前記第１の番組ソースから前記第１の伝送方式を用いて伝送された番組に対応し、前記番組表に含まれる前記複数の項目のうちの他の１つの項目は、前記第２の番組ソースから前記第２の伝送方式を用いて伝送された番組に対応する、ことと、
前記番組表に含まれる前記複数の項目のうちの少なくともいくつかの項目を表示することと、
前記番組表の表示された項目の中から、ユーザによって選択された１つの項目を指定するユーザ選択を受信することと、
前記ユーザ機器装置の前記入力が前記第１のチューナに接続されている場合において、前記ユーザ選択によって指定された項目が前記第２の番組ソースから前記第２の伝送方式を用いて伝送された番組に対応する場合には、前記ユーザ機器装置上に表示を出力するために、前記ユーザ選択が受信されたことに応答して、前記ユーザ機器装置の前記入力を前記第１のチューナから前記第２のチューナに切り換えることであって、前記第２のチューナは、前記ユーザ選択によって指定された項目に対応する、前記第２の番組ソースから前記第２の伝送方式を用いて伝送された番組を受信する、ことと
を包含する、方法。
【請求項２】
前記チャンネルガイド情報項目は、単一のデータソースから受信される、請求項１に記載の方法。
【請求項３】
前記第１の伝送方式を用いて番組を伝送する前記第１の番組ソースに対応するチャンネルガイド情報項目は、前記第１の番組ソースから受信され、
前記第２の伝送方式を用いて番組を伝送する前記第２の番組ソースに対応するチャンネルガイド情報項目は、前記第２の番組ソースから受信される、請求項１に記載の方法。
【請求項４】
前記チャンネルガイド情報をマージして、前記第１の伝送方式を用いて番組を伝送する前記第１の番組ソースおよび前記第２の伝送方式を用いて番組を伝送する前記第２の番組ソースに対応するチャンネルガイド情報を含むチャンネルガイドを形成することをさらに包含する、請求項１に記載の方法。
【請求項５】
少なくとも前記第１の番組ソースおよび前記第２の番組ソースから受信したチャンネルガイド情報を混合して所望の順序にソートすることと、
所望の順序で提示されたチャンネルガイド情報を有する画面を生成することと
をさらに包含する、請求項１に記載の方法。
【請求項６】
前記提供することは、前記番組表の項目のうち重複した項目を前記チャンネルガイドから自動的に削除することをさらに包含する、請求項１に記載の方法。
【請求項７】
前記番組表の各項目に信号ソース識別子を提供することをさらに包含し、各信号ソース識別子は、前記第１の伝送方式を用いて番組を伝送する前記第１の番組ソースおよび前記第２の伝送方式を用いて番組を伝送する前記第２の番組ソースのうちの１つの伝送方式を識別する、請求項１に記載の方法。
【請求項８】
前記ユーザ選択のソースに対応する信号ソース識別子を取り出すことと、
前記取り出された信号ソース識別子に対応するソースからのテレビ信号にユーザ機器装置の入力を結びつけることと
をさらに包含する、請求項１に記載の方法。
【請求項９】
前記ソースは、ケーブル、放送ソース、アンテナソース、地上ソース、衛星ソース、および直接放送衛星ソースからなるグループから選択される、請求項１に記載の方法。
【請求項１０】
表示された番組表の項目のソースを識別することをさらに包含する、請求項１に記載の方法。
【請求項１１】
前記ソースを識別することは、前記第１の番組ソースに関連する番組表の項目に対応する第１の色におけるソース識別子と、前記第２の番組ソースに関連する番組表の項目に対応する第２の色におけるソース識別子とを含む、請求項１０に記載の方法。
【請求項１２】
前記第１の番組ソースに対応する番組表の項目の少なくとも一部を表示することと、
ユーザ入力に応答して、前記第２の番組ソースに対応する番組表の項目の少なくとも一部を表示することと
をさらに包含する、請求項１に記載の方法。
【請求項１３】
前記ソースの伝送方式は地上である、請求項１に記載の方法。
【請求項１４】
前記ソースの伝送方式は衛星である、請求項１に記載の方法。
【請求項１５】
ユーザ機器装置において用いられる、チャンネルガイド情報項目を提供するために用いられるシステムであって、前記ユーザ機器装置は、入力と、第１の伝送方式を用いて伝送された番組を受信する第１のチューナと、第２の伝送方式を用いて伝送された番組を受信する第２のチューナとを有し、
前記システムは、
チャンネルガイド情報項目を受信する手段であって、前記受信したチャンネルガイド情報項目は、前記第１の伝送方式を用いて番組を伝送する第１の番組ソースおよび前記第２の伝送方式を用いて番組を伝送する第２の番組ソースに対応するチャンネルガイド情報を含み、前記第１の番組ソースおよび前記第２の番組ソースのそれぞれは、複数のテレビチャンネルを伝送するように動作することが可能である、手段と、
複数のテレビチャンネルのための複数の項目を含む番組表を有するチャンネルガイドを提供する手段であって、前記チャンネルガイドは、前記第１の番組ソースおよび前記第２の番組ソースに少なくとも対応する前記チャンネルガイド情報を含み、前記番組表に含まれる前記複数の項目のうちの１つの項目は、前記第１の番組ソースから前記第１の伝送方式を用いて伝送された番組に対応し、前記番組表に含まれる前記複数の項目のうちの他の１つの項目は、前記第２の番組ソースから前記第２の伝送方式を用いて伝送された番組に対応する、手段と、
前記番組表に含まれる前記複数の項目のうちの少なくともいくつかの項目を表示する手段と、
前記番組表の表示された項目の中から、ユーザによって選択された１つの項目を指定するユーザ選択を受信する手段と、
前記ユーザ機器装置の前記入力が前記第１のチューナに接続されている場合において、前記ユーザ選択によって指定された項目が前記第２の番組ソースから前記第２の伝送方式を用いて伝送された番組に対応する場合には、前記ユーザ機器装置上に表示を出力するために、前記ユーザ選択が受信されたことに応答して、前記ユーザ機器装置の前記入力を前記第１のチューナから前記第２のチューナに切り換える手段であって、前記第２のチューナは、前記ユーザ選択によって指定された項目に対応する、前記第２の番組ソースから前記第２の伝送方式を用いて伝送された番組を受信する、手段と
を備える、システム。
【請求項１６】
前記チャンネルガイド情報項目は、単一のデータソースから受信される、請求項１５に記載のシステム。
【請求項１７】
前記第１の伝送方式を用いて番組を伝送する前記第１の番組ソースに対応するチャンネルガイド情報項目は、前記第１の番組ソースから受信され、
前記第２の伝送方式を用いて番組を伝送する前記第２の番組ソースに対応するチャンネルガイド情報項目は、前記第２の番組ソースから受信される、請求項１５に記載のシステム。
【請求項１８】
前記チャンネルガイド情報をマージして、前記第１の伝送方式を用いて番組を伝送する前記第１の番組ソースおよび前記第２の伝送方式を用いて番組を伝送する前記第２の番組ソースに対応するチャンネルガイド情報を含むチャンネルガイドを形成する手段をさらに備える、請求項１５に記載のシステム。
【請求項１９】
少なくとも前記第１の番組ソースおよび前記第２の番組ソースから受信したチャンネルガイド情報を混合して所望の順序にソートする手段と、
所望の順序で提示されたチャンネルガイド情報を有する画面を生成する手段と
をさらに備える、請求項１５に記載のシステム。
【請求項２０】
前記提供する手段は、前記番組表の項目のうち重複した項目を前記チャンネルガイドから自動的に削除する手段をさらに備える、請求項１５に記載のシステム。
【請求項２１】
前記番組表の各項目に信号ソース識別子を提供する手段をさらに備え、各識別子は、前記第１の伝送方式を用いて番組を伝送する前記第１の番組ソースおよび前記第２の伝送方式を用いて番組を伝送する前記第２の番組ソースのうちの１つの伝送方式を識別する、請求項１５に記載のシステム。
【請求項２２】
前記ユーザ選択のソースに対応する信号ソース識別子を取り出す手段と、
前記取り出された信号ソース識別子に対応するソースからのテレビ信号にユーザ機器装置の入力を結びつける手段と
をさらに備える、請求項１５に記載のシステム。
【請求項２３】
前記ソースは、ケーブル、放送ソース、アンテナソース、地上ソース、衛星ソース、および直接放送衛星ソースからなるグループから選択される、請求項１５に記載のシステム。
【請求項２４】
表示された番組表の項目のソースを識別する手段をさらに備える、請求項１５に記載のシステム。
【請求項２５】
前記ソースを識別する手段は、前記第１の番組ソースに関連する番組表の項目に対応する第１の色におけるソース識別子と、前記第２の番組ソースに関連する番組表の項目に対応する第２の色におけるソース識別子とを含む、請求項２４に記載のシステム。
【請求項２６】
前記第１の番組ソースに対応する番組表の項目の少なくとも一部を表示する手段と、
ユーザ入力に応答して、前記第２の番組ソースに対応する番組表の項目の少なくとも一部を表示する手段と
をさらに備える、請求項１５に記載のシステム。
【請求項２７】
前記ソースの伝送方式は地上である、請求項１５に記載のシステム。
【請求項２８】
前記ソースの伝送方式は衛星である、請求項１５に記載のシステム。
【請求項２９】
ユーザ機器装置において用いられる、複数のチャンネルガイド情報項目を提供する方法であって、前記ユーザ機器装置は、入力と、第１の伝送方式を用いて伝送された番組を受信する第１のチューナと、第２の伝送方式を用いて伝送された番組を受信する第２のチューナとを有し、
前記方法は、
複数のチャンネルガイド情報項目を受信することであって、前記複数のチャンネルガイド情報項目は、前記第１の伝送方式を用いて番組を伝送する第１の番組ソースおよび前記第２の伝送方式を用いて番組を伝送する第２の番組ソースに対応するチャンネルガイド情報を含み、前記第１の伝送方式は、前記第１の番組ソースの前記第１の伝送方式の識別する第１の識別子を有し、前記第２の伝送方式は、前記第２の番組ソースの前記第２の伝送方式の識別する第２の識別子を有し、前記第１の番組ソースおよび前記第２の番組ソースのそれぞれは、複数のテレビジョンチャンネルを伝送するように動作可能である、ことと、
前記複数のテレビジョンチャンネルのための複数の項目を含む番組表を有するチャンネルガイドを提供することであって、前記チャンネルガイドは、前記第１の番組ソースおよび前記第２の番組ソースに少なくとも対応する前記チャンネルガイド情報を含み、前記番組表に含まれる前記複数の項目のうちの１つの項目は、前記第１の識別子と、前記第１の番組ソースから前記第１の伝送方式を用いて伝送された番組とに対応し、前記番組表に含まれる前記複数の項目のうちの他の１つの項目は、前記第２の識別子と、前記第２の番組ソースから前記第２の伝送方式を用いて伝送された番組とに対応する、ことと、
前記番組表に含まれる前記複数の項目のうちの少なくともいくつかの項目と、前記項目内の情報に対応する前記第１の識別子および前記第２の識別子とを表示することと、
前記番組表の表示された項目の中から、ユーザによって選択された１つの項目を指定するユーザ選択を受信することと、
前記ユーザ機器装置の前記入力が前記第１のチューナに接続されている場合において、前記ユーザ選択によって指定された項目が前記第２の番組ソースから前記第２の伝送方式を用いて伝送された番組に対応する場合には、前記ユーザ機器装置上に表示を出力するために、前記ユーザ選択が受信されたことに応答して、前記ユーザ機器装置の前記入力を前記第１のチューナから前記第２のチューナに切り換えることであって、前記第２のチューナは、前記ユーザ選択によって指定された項目に対応する、前記第２の番組ソースから前記第２の伝送方式を用いて伝送された番組を受信する、ことと
を包含する、方法。
【請求項３０】
前記複数のチャンネルガイド情報項目は、単一のデータソースから受信される、請求項２９に記載の方法。
【請求項３１】
前記第１の伝送方式を用いて番組を伝送する前記第１の番組ソースに対応する前記複数のチャンネルガイド情報項目は、前記第１の番組ソースから受信され、
前記第２の伝送方式を用いて番組を伝送する前記第２の番組ソースに対応する前記複数のチャンネルガイド情報項目は、前記第２の番組ソースから受信される、請求項２９に記載の方法。
【請求項３２】
前記チャンネルガイド情報をマージすることにより、前記第１の伝送方式を用いて番組を伝送する前記第１の番組ソースおよび前記第２の伝送方式を用いて番組を伝送する前記第２の番組ソースに対応する前記チャンネルガイド情報を含む前記チャンネルガイドを形成することをさらに包含する、請求項２９に記載の方法。
【請求項３３】
少なくとも前記第１の番組ソースおよび前記第２の番組ソースから受信された前記チャンネルガイド情報を、所望の順序に混合および分類することと、
前記所望の順序で提示された前記チャンネルガイド情報を有する表示を生成することと
をさらに包含する、請求項２９に記載の方法。
【請求項３４】
前記提供することは、前記チャンネルガイドから前記番組表の項目のうち重複した項目を自動的に削除することをさらに包含する、請求項２９に記載の方法。
【請求項３５】
前記番組表の各項目に信号ソース識別子を提供することであって、各信号ソース識別子は、前記第１の伝送方式を用いて番組を伝送する前記第１の番組ソースおよび前記第２の伝送方式を用いて番組を伝送する前記第２の番組ソースのうちの１つの伝送方式を識別する、ことをさらに包含する、請求項２９に記載の方法。
【請求項３６】
前記ユーザ選択のソースに対応する信号ソース識別子を検索することと、
前記検索された信号ソース識別子に対応する、前記番組ソースからのテレビジョン信号に、ユーザ機器デバイスの入力に結合することと
をさらに包含する、請求項２９に記載の方法。
【請求項３７】
前記ソースの伝送方式は、ケーブル、放送伝送方式、アンテナ伝送方式、地上伝送方式、および衛星伝送方式からなるグループから選択される、請求項２９に記載の方法。
【請求項３８】
表示された番組表の項目の番組ソースの伝送方式を識別することをさらに包含する、請求項２９に記載の方法。
【請求項３９】
前記番組ソースの伝送方式を識別することは、
前記第１の番組ソースの前記第１の伝送方式に関連付けられた番組表の項目に対応する、第１の色の伝送方式識別子と、
前記第２の番組ソースの前記第２の伝送方式に関連付けられた番組表の項目に対応する、第２の色の伝送方式識別子と
を含む、請求項３８に記載の方法。
【請求項４０】
前記第１の番組ソースに対応する前記番組表の前記複数の項目のうちの少なくともいくつかを表示することと、
ユーザ入力に応答して、前記第２の番組ソースに対応する前記番組表の前記複数の項目のうちの少なくともいくつかを表示することと
をさらに包含する、請求項２９に記載の方法。
【請求項４１】
前記番組ソースの伝送方式は、地上伝送方式である、請求項２９に記載の方法。
【請求項４２】
前記番組ソースの伝送方式は、衛星伝送方式である、請求項２９に記載の方法。
【請求項４３】
ユーザ機器装置において用いられる、複数のチャンネルガイド情報項目を提供するために用いられるシステムであって、前記ユーザ機器装置は、入力と、第１の伝送方式を用いて伝送された番組を受信する第１のチューナと、第２の伝送方式を用いて伝送された番組を受信する第２のチューナとを有し、
前記システムは、
複数のチャンネルガイド情報項目を受信する手段であって、前記複数のチャンネルガイド情報項目は、前記第１の伝送方式を用いて番組を伝送する第１の番組ソースおよび前記第２の伝送方式を用いて番組を伝送する第２の番組ソースに対応するチャンネルガイド情報を含み、前記第１の伝送方式は、前記第１の番組ソースの前記第１の伝送方式の識別する第１の識別子を有し、前記第２の伝送方式は、前記第２の番組ソースの前記第２の伝送方式の識別する第２の識別子を有し、前記第１の番組ソースおよび前記第２の番組ソースのそれぞれは、複数のテレビジョンチャンネルを伝送するように動作可能である、手段と、
前記複数のテレビジョンチャンネルのための複数の項目を含む番組表を有するチャンネルガイドを提供する手段であって、前記チャンネルガイドは、前記第１の番組ソースおよび前記第２の番組ソースに少なくとも対応する前記チャンネルガイド情報を含み、前記番組表に含まれる前記複数の項目のうちの１つの項目は、前記第１の識別子と、前記第１の番組ソースから前記第１の伝送方式を用いて伝送された番組とに対応し、前記番組表に含まれる前記複数の項目のうちの他の１つの項目は、前記第２の識別子と、前記第２の番組ソースから前記第２の伝送方式を用いて伝送された番組とに対応する、手段と、
前記番組表に含まれる前記複数の項目のうちの少なくともいくつかの項目と、前記項目内の情報に対応する前記第１の識別子および前記第２の識別子とを表示する手段と、
前記番組表の表示された項目の中から、ユーザによって選択された１つの項目を指定するユーザ選択を受信する手段と、
前記ユーザ機器装置の前記入力が前記第１のチューナに接続されている場合において、前記ユーザ選択によって指定された項目が前記第２の番組ソースから前記第２の伝送方式を用いて伝送された番組に対応する場合には、前記ユーザ機器装置上に表示を出力するために、前記ユーザ選択が受信されたことに応答して、前記ユーザ機器装置の前記入力を前記第１のチューナから前記第２のチューナに切り換える手段であって、前記第２のチューナは、前記ユーザ選択によって指定された項目に対応する、前記第２の番組ソースから前記第２の伝送方式を用いて伝送された番組を受信する、手段と
を含む、システム。
【請求項４４】
前記複数のチャンネルガイド情報項目は、単一のデータソースから受信される、請求項４３に記載のシステム。
【請求項４５】
前記第１の伝送方式を用いて番組を伝送する前記第１の番組ソースに対応する前記複数のチャンネルガイド情報項目は、前記第１の番組ソースから受信され、
前記第２の伝送方式を用いて番組を伝送する前記第２の番組ソースに対応する前記複数のチャンネルガイド情報項目は、前記第２の番組ソースから受信される、請求項４３に記載のシステム。
【請求項４６】
前記チャンネルガイド情報をマージすることにより、前記第１の伝送方式を用いて番組を伝送する前記第１の番組ソースおよび前記第２の伝送方式を用いて番組を伝送する前記第２の番組ソースに対応する前記チャンネルガイド情報を含む前記チャンネルガイドを形成する手段をさらに含む、請求項４３に記載のシステム。
【請求項４７】
少なくとも前記第１の番組ソースおよび前記第２の番組ソースから受信された前記チャンネルガイド情報を、所望の順序に混合および分類する手段と、
前記所望の順序で提示された前記チャンネルガイド情報を有する表示を生成する手段と
をさらに含む、請求項４３に記載のシステム。
【請求項４８】
前記提供する手段は、前記チャンネルガイドから前記番組表の項目のうち重複した項目を自動的に削除する手段をさらに含む、請求項４３に記載のシステム。
【請求項４９】
前記番組表の各項目に信号ソース識別子を提供する手段であって、各信号ソース識別子は、前記第１の伝送方式を用いて番組を伝送する前記第１の番組ソースおよび前記第２の伝送方式を用いて番組を伝送する前記第２の番組ソースのうちの１つの伝送方式を識別する、手段をさらに含む、請求項４３に記載のシステム。
【請求項５０】
前記ユーザ選択のソースに対応する信号ソース識別子を検索する手段と、
前記検索された信号ソース識別子に対応する、前記番組ソースからのテレビジョン信号に、ユーザ機器デバイスの入力に結合する手段と
をさらに含む、請求項４３に記載のシステム。
【請求項５１】
前記ソースの伝送方式は、ケーブル、放送伝送方式、アンテナ伝送方式、地上伝送方式、および衛星伝送方式からなるグループから選択される、請求項４３に記載のシステム。
【請求項５２】
表示された番組表の項目の番組ソースの伝送方式を識別する手段をさらに含む、請求項４３に記載のシステム。
【請求項５３】
前記番組ソースの伝送方式を識別する手段は、
前記第１の番組ソースの前記第１の伝送方式に関連付けられた番組表の項目に対応する、第１の色の伝送方式識別子と、
前記第２の番組ソースの前記第２の伝送方式に関連付けられた番組表の項目に対応する、第２の色の伝送方式識別子と
を含む、請求項５２に記載のシステム。
【請求項５４】
前記第１の番組ソースに対応する前記番組表の前記複数の項目のうちの少なくともいくつかを表示する手段と、
ユーザ入力に応答して、前記第２の番組ソースに対応する前記番組表の前記複数の項目のうちの少なくともいくつかを表示する手段と
をさらに含む、請求項４３に記載のシステム。
【請求項５５】
前記番組ソースの伝送方式は、地上伝送方式である、請求項４３に記載のシステム。
【請求項５６】
前記番組ソースの伝送方式は、衛星伝送方式である、請求項４３に記載のシステム。
【請求項５７】
少なくとも２つのチューナを有するユーザ機器デバイスにおいて、複数のチャンネルガイド情報項目を提供する方法であって、前記少なくとも２つのチューナのそれぞれは、異なる伝送方式で動作し、前記少なくとも２つのチューナの第１のチューナは、第１の伝送方式を用いて、第１の番組ソースから番組を受信し、前記少なくとも２つのチューナの第２のチューナは、第２の伝送方式を用いて、第２の番組ソースから番組を受信し、
前記方法は、
前記ユーザ機器デバイスの入力において、複数のチャンネルガイド情報項目を受信することであって、前記複数のチャンネルガイド情報項目は、前記第１の番組ソースおよび前記第２の番組ソースに対応するチャンネルガイド情報を含み、前記第１の番組ソースおよび前記第２の番組ソースのそれぞれは、複数のテレビジョンチャンネルを伝送するように動作可能である、ことと、
前記複数のテレビジョンチャンネルのための複数の項目を含む番組表を有するチャンネルガイドを提供することであって、前記チャンネルガイドは、前記第１の番組ソースおよび前記第２の番組ソースに対応する前記チャンネルガイド情報を含み、前記番組表に含まれる前記複数の項目のうちの１つの項目は、前記第１の番組ソースから前記第１の伝送方式を用いて伝送された番組に対応し、前記番組表に含まれる前記複数の項目のうちの他の１つの項目は、前記第２の番組ソースから前記第２の伝送方式を用いて伝送された番組に対応する、ことと、
前記第１の伝送方式に対応する前記番組表の前記複数の項目のうちの少なくともいくつかを表示することと、
ユーザ入力に応答して、前記第２の伝送方式に対応する前記番組表の前記複数の項目のうちの少なくともいくつかを表示することと、
前記番組表の表示された項目の中から、ユーザによって選択された１つの項目を指定するユーザ選択を受信することと、
前記ユーザ機器装置の前記入力が前記第１のチューナに接続されている場合において、前記ユーザ選択によって指定された項目が前記第２の番組ソースから前記第２の伝送方式を用いて伝送された番組に対応する場合には、前記ユーザ機器装置上に表示を出力するために、前記ユーザ選択が受信されたことに応答して、前記ユーザ機器装置の前記入力を前記第１のチューナから前記第２のチューナに切り換えることであって、前記第２のチューナは、前記ユーザ選択によって指定された項目に対応する、前記第２の番組ソースから前記第２の伝送方式を用いて伝送された番組を受信する、ことと
を包含する、方法。
【請求項５８】
前記複数のチャンネルガイド情報項目は、単一のデータソースから受信される、請求項５７に記載の方法。
【請求項５９】
前記第１の伝送方式を用いて番組を伝送する前記第１の番組ソースに対応する前記複数のチャンネルガイド情報項目は、前記第１の番組ソースから受信され、
前記第２の伝送方式を用いて番組を伝送する前記第２の番組ソースに対応する前記複数のチャンネルガイド情報項目は、前記第２の番組ソースから受信される、請求項５７に記載の方法。
【請求項６０】
前記ユーザ入力に応答して、前記第２の番組ソースにチューニングすることをさらに包含する、請求項５７に記載の方法。
【請求項６１】
前記チャンネルガイド情報をマージすることにより、前記第１の番組ソースおよび前記第２の番組ソースに対応する前記チャンネルガイド情報を含む前記チャンネルガイドを形成することをさらに包含する、請求項５７に記載の方法。
【請求項６２】
少なくとも前記第１の番組ソースおよび前記第２の番組ソースから受信された前記チャンネルガイド情報を、所望の順序に混合および分類することと、
前記所望の順序で提示された前記チャンネルガイド情報を有する表示を生成することと
をさらに包含する、請求項５７に記載の方法。
【請求項６３】
前記提供することは、前記チャンネルガイドから前記番組表の項目のうち重複した項目を自動的に削除することをさらに包含する、請求項５７に記載の方法。
【請求項６４】
前記番組表の各項目に信号ソース識別子を提供することをさらに包含し、各信号ソース識別子は、前記第１の伝送方式を用いて番組を伝送する前記第１の番組ソースおよび前記第２の伝送方式を用いて番組を伝送する前記第２の番組ソースのうちの１つの伝送方式を識別する、請求項５７に記載の方法。
【請求項６５】
前記ユーザ選択のソースの伝送方式に対応する信号ソース識別子を検索することと、
前記検索された信号ソース識別子に対応する、前記番組ソースのチューナからのテレビジョン信号に、前記ユーザ機器デバイスの入力に結合することと
をさらに包含する、請求項５７に記載の方法。
【請求項６６】
前記ソースの伝送方式は、ケーブル、放送伝送方式、アンテナ伝送方式、地上伝送方式、および衛星伝送方式からなるグループから選択される、請求項５７に記載の方法。
【請求項６７】
表示された番組表の項目の番組ソースの伝送方式を識別することをさらに包含する、請求項５７に記載の方法。
【請求項６８】
前記番組ソースの伝送方式を識別することは、
前記第１の伝送方式に関連付けられた番組表の項目に対応する、第１の色の伝送方式識別子と、
前記第２の伝送方式に関連付けられた番組表の項目に対応する、第２の色の伝送方式識別子と
を含む、請求項６７に記載の方法。
【請求項６９】
前記異なる伝送方式のうちの１つは、地上伝送方式である、請求項５７に記載の方法。
【請求項７０】
前記異なる伝送方式のうちの１つは、衛星伝送方式である、請求項５７に記載の方法。
【請求項７１】
少なくとも２つのチューナを有するユーザ機器デバイスにおいて、複数のチャンネルガイド情報項目を提供する際に用いられるシステムであって、前記少なくとも２つのチューナのそれぞれは、異なる伝送方式で動作し、前記少なくとも２つのチューナの第１のチューナは、第１の伝送方式を用いて、第１の番組ソースから番組を受信し、前記少なくとも２つのチューナの第２のチューナは、第２の伝送方式を用いて、第２の番組ソースから番組を受信し、
前記システムは、
前記ユーザ機器デバイスの入力において、複数のチャンネルガイド情報項目を受信する手段であって、前記複数のチャンネルガイド情報項目は、前記第１の番組ソースおよび前記第２の番組ソースに対応するチャンネルガイド情報を含み、前記第１の番組ソースおよび前記第２の番組ソースのそれぞれは、複数のテレビジョンチャンネルを伝送するように動作可能である、手段と、
前記複数のテレビジョンチャンネルのための複数の項目を含む番組表を有するチャンネルガイドを提供する手段であって、前記チャンネルガイドは、前記第１の番組ソースおよび前記第２の番組ソースに対応する前記チャンネルガイド情報を含み、前記番組表に含まれる前記複数の項目のうちの１つの項目は、前記第１の番組ソースから前記第１の伝送方式を用いて伝送された番組に対応し、前記番組表に含まれる前記複数の項目のうちの他の１つの項目は、前記第２の番組ソースから前記第２の伝送方式を用いて伝送された番組に対応する、手段と、
前記第１の伝送方式に対応する前記番組表の前記複数の項目のうちの少なくともいくつかを表示する手段と、
ユーザ入力に応答して、前記第２の伝送方式に対応する前記番組表の前記複数の項目のうちの少なくともいくつかを表示する手段と、
前記番組表の表示された項目の中から、ユーザによって選択された１つの項目を指定するユーザ選択を受信する手段と、
前記ユーザ機器装置の前記入力が前記第１のチューナに接続されている場合において、前記ユーザ選択によって指定された項目が前記第２の番組ソースから前記第２の伝送方式を用いて伝送された番組に対応する場合には、前記ユーザ機器装置上に表示を出力するために、前記ユーザ選択が受信されたことに応答して、前記ユーザ機器装置の前記入力を前記第１のチューナから前記第２のチューナに切り換える手段であって、前記第２のチューナは、前記ユーザ選択によって指定された項目に対応する、前記第２の番組ソースから前記第２の伝送方式を用いて伝送された番組を受信する、手段と
を含む、システム。
【請求項７２】
前記複数のチャンネルガイド情報項目は、単一のデータソースから受信される、請求項７１に記載のシステム。
【請求項７３】
前記第１の伝送方式を用いて番組を伝送する前記第１の番組ソースに対応する前記複数のチャンネルガイド情報項目は、前記第１の番組ソースから受信され、
前記第２の伝送方式を用いて番組を伝送する前記第２の番組ソースに対応する前記複数のチャンネルガイド情報項目は、前記第２の番組ソースから受信される、請求項７１に記載のシステム。
【請求項７４】
前記ユーザ入力に応答して、前記第２の番組ソースにチューニングする手段をさらに含む、請求項７１に記載のシステム。
【請求項７５】
前記チャンネルガイド情報をマージすることにより、前記第１の番組ソースおよび前記第２の番組ソースに対応する前記チャンネルガイド情報を含む前記チャンネルガイドを形成する手段をさらに含む、請求項７１に記載のシステム。
【請求項７６】
少なくとも前記第１の番組ソースおよび前記第２の番組ソースから受信された前記チャンネルガイド情報を、所望の順序に混合および分類する手段と、
前記所望の順序で提示された前記チャンネルガイド情報を有する表示を生成する手段と
をさらに含む、請求項７１に記載のシステム。
【請求項７７】
前記提供する手段は、前記チャンネルガイドから前記番組表の項目のうち重複した項目を自動的に削除する手段をさらに含む、請求項７１に記載のシステム。
【請求項７８】
前記番組表の各項目に信号ソース識別子を提供する手段をさらに含み、各信号ソース識別子は、前記第１の伝送方式を用いて番組を伝送する前記第１の番組ソースおよび前記第２の伝送方式を用いて番組を伝送する前記第２の番組ソースのうちの１つの伝送方式を識別する、請求項７１に記載のシステム。
【請求項７９】
前記ユーザ選択のソースの伝送方式に対応する信号ソース識別子を検索する手段と、
前記検索された信号ソース識別子に対応する、前記番組ソースのチューナからのテレビジョン信号に、前記ユーザ機器デバイスの入力に結合する手段と
をさらに含む、請求項７１に記載のシステム。
【請求項８０】
前記ソースの伝送方式は、ケーブル、放送伝送方式、アンテナ伝送方式、地上伝送方式、および衛星伝送方式からなるグループから選択される、請求項７１に記載のシステム。
【請求項８１】
表示された番組表の項目の番組ソースの伝送方式を識別する手段をさらに含む、請求項７１に記載のシステム。
【請求項８２】
前記番組ソースの伝送方式を識別する手段は、
前記第１の伝送方式に関連付けられた番組表の項目に対応する、第１の色の伝送方式識別子と、
前記第２の伝送方式に関連付けられた番組表の項目に対応する、第２の色の伝送方式識別子と
を含む、請求項８１に記載のシステム。
【請求項８３】
前記異なる伝送方式のうちの１つは、地上伝送方式である、請求項７１に記載のシステム。
【請求項８４】
前記異なる伝送方式のうちの１つは、衛星伝送方式である、請求項７１に記載のシステム。
【請求項８５】
テレビジョンシステムに統合チャンネルガイド情報項目を提供する方法であって、前記テレビジョンシステムは、入力と、第１の伝送方式を用いて伝送された番組を受信する第１のチューナと、第２の伝送方式を用いて伝送された番組を受信する第２のチューナとを有し、
前記方法は、
前記第１の伝送方式を用いて番組を伝送する第１の情報ソースおよび前記第２の伝送方式を用いて番組を伝送する第２の情報ソースからの個々のチャンネルガイド情報項目を、マージシステムにより受信するステップと、
それぞれの個々のチャンネルガイド情報項目の少なくとも一部分をマージすることにより、統合チャンネルガイド情報項目を形成するステップと、
前記テレビジョンシステムに前記統合チャンネルガイド情報項目を提供するステップであって、前記テレビジョンシステムに提供された前記統合チャンネルガイド情報項目は、少なくとも前記第１の情報ソースおよび前記第２の情報ソースに対する複数の項目を含む番組表と、前記番組表の各項目に対する信号ソース識別子とを含み、前記番組表に含まれる前記複数の項目のうちの１つの項目は、前記第１の情報ソースから前記第１の伝送方式を用いて伝送された番組に対応し、前記番組表に含まれる前記複数の項目のうちの他の１つの項目は、前記第２の情報ソースから前記第２の伝送方式を用いて伝送された番組に対応し、各信号ソース識別子は、前記第１の情報ソースおよび前記第２の情報ソースのうちの１つを識別する、ステップと、
前記統合チャンネルガイド情報項目の少なくとも一部分の表示を生成するステップと、
前記表示されたチャンネルガイド情報項目の中から、ユーザによって選択された１つのチャンネルガイド情報項目を指定するユーザ選択を受信することと、
前記ユーザ機器装置の前記入力が前記第１のチューナに接続されている場合において、前記ユーザ選択によって指定されたチャンネルガイド情報項目が前記第２の情報ソースから前記第２の伝送方式を用いて伝送された番組に対応する場合には、前記テレビジョンシステム上に表示を出力するために、前記ユーザ選択が受信されたことに応答して、前記テレビジョンシステムの前記入力を前記第１のチューナから前記第２のチューナに切り換えることであって、前記第２のチューナは、前記ユーザ選択によって指定されたチャンネルガイド情報項目に対応する、前記第２の情報ソースから前記第２の伝送方式を用いて伝送された番組を受信する、ことと
を包含する、方法。
【請求項８６】
前記表示は、前記表示内の前記番組表の各項目に対する前記信号ソース識別子の表示を含む、請求項８５に記載の方法。
【請求項８７】
前記表示は、複数の信号ソース識別子のうちの第１の信号ソース識別子に関連付けられた前記番組表の項目を第１の色で表示することと、前記複数の信号ソース識別子のうちの第２の信号ソース識別子に関連付けられた前記番組表の項目を第２の色で表示することとを包含し、前記第１の識別子は、前記第１の情報ソースを識別し、前記第２の識別子は、前記第２の情報ソースを識別する、請求項８６に記載の方法。
【請求項８８】
前記提供するステップは、少なくとも１つのテレビジョン信号ソースを介して、前記統合チャンネルガイド情報項目を伝送するステップを包含する、請求項８５に記載の方法。
【請求項８９】
前記伝送するステップは、衛星を介して、前記統合チャンネルガイド情報項目を中継するステップを包含する、請求項８８に記載の方法。
【請求項９０】
前記テレビジョン信号ソースは、ケーブル、放送ソース、直接放送衛星ソースからなるグループから選択される、請求項８８に記載の方法。
【請求項９１】
前記少なくとも１つのテレビジョン信号ソースは、前記第１の情報ソースおよび前記第２の情報ソースのうちの１つである、請求項８８に記載の方法。
【請求項９２】
前記生成するステップは、テレビジョン表示スクリーン、コンピュータモニタ、およびプリント媒体のうちの１つに前記表示を表示するステップを包含する、請求項８５に記載の方法。
【請求項９３】
前記情報ソースは、ケーブル、放送ソース、直接放送衛星ソース、電話回線、およびキーボードからなるグループから選択される、請求項８５に記載の方法。
【請求項９４】
入力と、第１の伝送方式を用いて伝送された番組を受信する第１のチューナと、第２の伝送方式を用いて伝送された番組を受信する第２のチューナとを有する情報統合システムであって、
前記情報統合システムは、
前記第１の伝送方式を用いて番組を伝送する第１の情報ソースおよび前記第２の伝送方式を用いて番組を伝送する第２の情報ソースから個々のチャンネルガイド情報項目を受信する受信機と、
前記受信機に結合されたマイクロプロセッサであって、前記マイクロプロセッサは、それぞれの個々のチャンネルガイド情報項目の少なくとも一部分を統合チャンネルガイド情報項目にマージする、マイクロプロセッサと、
テレビジョンシステムに前記統合チャンネルガイド情報項目を提供する信号プロバイダであって、前記テレビジョンシステムに提供された前記統合チャンネルガイド情報項目は、少なくとも前記第１の情報ソースおよび前記第２の情報ソースに対する複数の項目を含む番組表と、前記番組表の各項目に対する信号ソース識別子とを含み、前記番組表に含まれる前記複数の項目のうちの１つの項目は、前記第１の情報ソースから前記第１の伝送方式を用いて伝送された番組に対応し、前記番組表に含まれる前記複数の項目のうちの他の１つの項目は、前記第２の情報ソースから前記第２の伝送方式を用いて伝送された番組に対応し、各信号ソース識別子は、前記第１の情報ソースおよび前記第２の情報ソースのうちの１つを識別する、信号プロバイダと、
前記テレビジョンシステムに結合された表示生成器であって、前記統合チャンネルガイド情報項目の少なくとも一部分の表示を生成する、表示生成器と
を備え、
前記マイクロプロセッサは、前記表示されたチャンネルガイド情報項目の中から、ユーザによって選択された１つのチャンネルガイド情報項目を指定するユーザ選択を受信し、
前記マイクロプロセッサは、前記ユーザ機器装置の前記入力が前記第１のチューナに接続されている場合において、前記ユーザ選択によって指定されたチャンネルガイド情報項目が前記第２の情報ソースから前記第２の伝送方式を用いて伝送された番組に対応する場合には、前記テレビジョンシステム上に表示を出力するために、前記ユーザ選択が受信されたことに応答して、前記テレビジョンシステムの前記入力を前記第１のチューナから前記第２のチューナに切り換え、前記第２のチューナは、前記ユーザ選択によって指定されたチャンネルガイド情報項目に対応する、前記第２の情報ソースから前記第２の伝送方式を用いて伝送された番組を受信する、情報統合システム。
【請求項９５】
前記表示は、前記表示内の前記番組表の各項目に対する前記信号ソース識別子の表示を含む、請求項９４に記載の情報統合システム。
【請求項９６】
前記表示は、複数の信号ソース識別子のうちの第１の信号ソース識別子に関連付けられた前記番組表の項目を第１の色で表示することと、前記複数の信号ソース識別子のうちの第２の信号ソース識別子に関連付けられた前記番組表の項目を第２の色で表示することとを包含し、前記第１の識別子は、前記第１の情報ソースを識別し、前記第２の識別子は、前記第２の情報ソースを識別する、請求項９５に記載の情報統合システム。
【請求項９７】
前記信号プロバイダは、前記マイクロプロセッサに結合されたトランスミッタを含み、前記トランスミッタは、少なくとも１つのテレビジョン信号ソースを介して前記統合チャンネルガイド情報項目を伝送する、請求項９４に記載の情報統合システム。
【請求項９８】
前記信号プロバイダは、衛星をさらに含み、前記伝送された統合チャンネルガイド情報項目は、前記衛星を介して中継される、請求項９７に記載の情報統合システム。
【請求項９９】
前記テレビジョン信号ソースは、ケーブル、放送ソース、直接放送衛星システムからなるグループから選択される、請求項９７に記載の情報統合システム。
【請求項１００】
前記少なくとも１つのテレビジョン信号ソースは、前記第１の情報ソースおよび前記第２の情報ソースのうちの１つである、請求項９７に記載の情報統合システム。
【請求項１０１】
前記表示生成器は、テレビジョン表示スクリーン、コンピュータモニタ、およびプリントデバイスからなるグループから選択される、請求項９４に記載の情報統合システム。
【請求項１０２】
前記情報ソースは、ケーブル、放送ソース、直接放送衛星システム、電話回線、およびキーボードからなるグループから選択される、請求項９４に記載の情報統合システム。
【請求項１０３】
テレビジョンシステムに統合チャンネルガイド情報項目を提供する方法であって、前記テレビジョンシステムは、入力と、第１の伝送方式を用いて伝送された番組を受信する第１のチューナと、第２の伝送方式を用いて伝送された番組を受信する第２のチューナとを有し、
前記方法は、
前記第１の伝送方式を用いて番組を伝送する第１の情報ソースおよび前記第２の伝送方式を用いて番組を伝送する第２の情報ソースからの個々のチャンネルガイド情報項目を、マージシステムにより受信するステップと、
前記個々のチャンネルガイド情報項目をマージすることにより、統合チャンネルガイド情報項目を形成するステップと、
前記テレビジョンシステムに前記統合チャンネルガイド情報項目を提供するステップであって、前記テレビジョンシステムに提供された前記統合チャンネルガイド情報項目は、少なくとも前記第１の情報ソースおよび前記第２の情報ソースに対する複数の項目を含む番組表を含み、前記番組表に含まれる前記複数の項目のうちの１つの項目は、前記第１の情報ソースから前記第１の伝送方式を用いて伝送された番組に対応し、前記番組表に含まれる前記複数の項目のうちの他の１つの項目は、前記第２の情報ソースから前記第２の伝送方式を用いて伝送された番組に対応する、ステップと、
前記統合チャンネルガイド情報項目の少なくとも一部分の表示を生成するステップと、
前記表示されたチャンネルガイド情報項目の中から、ユーザによって選択された１つのチャンネルガイド情報項目を指定するユーザ選択を受信することと、
前記ユーザ機器装置の前記入力が前記第１のチューナに接続されている場合において、前記ユーザ選択によって指定されたチャンネルガイド情報項目が前記第２の情報ソースから前記第２の伝送方式を用いて伝送された番組に対応する場合には、前記テレビジョンシステム上に表示を出力するために、前記ユーザ選択が受信されたことに応答して、前記テレビジョンシステムの前記入力を前記第１のチューナから前記第２のチューナに切り換えることであって、前記第２のチューナは、前記ユーザ選択によって指定されたチャンネルガイド情報項目に対応する、前記第２の情報ソースから前記第２の伝送方式を用いて伝送された番組を受信する、ことと
を包含する、方法。
【請求項１０４】
前記提供するステップは、少なくとも１つのテレビジョン信号ソースを介して、前記統合チャンネルガイド情報項目を伝送するステップを包含する、請求項１０３に記載の方法。
【請求項１０５】
前記伝送するステップは、衛星を介して、前記統合チャンネルガイド情報項目を中継するステップを包含する、請求項１０４に記載の方法。
【請求項１０６】
前記テレビジョン信号ソースは、ケーブル、放送ソース、直接放送衛星ソースからなるグループから選択される、請求項１０４に記載の方法。
【請求項１０７】
前記少なくとも１つのテレビジョン信号ソースは、前記第１の情報ソースおよび前記第２の情報ソースのうちの１つである、請求項１０４に記載の方法。
【請求項１０８】
前記個々のチャンネルガイド情報項目は、第１のタイプおよび第２のタイプからなるグループから選択され、前記第１のタイプの個々のチャンネルガイド情報項目は、地方の地理的領域に対するチャンネルガイド情報を表し、前記第２のタイプの個々のチャンネルガイド情報項目は、国の地理的領域に対するチャンネルガイド情報を表す、請求項１０３に記載の方法。
【請求項１０９】
前記情報ソースは、ケーブル、放送ソース、直接放送衛星システム、電話回線、およびキーボードからなるグループから選択される、請求項１０３に記載の方法。
【請求項１１０】
前記統合チャンネルガイド情報項目は、番号順に従って、順序付けられている、請求項１０３に記載の方法。
【請求項１１１】
前記統合チャンネルガイド情報項目は、ユーザ定義の順序方式に従って、順序付けられている、請求項１０３に記載の方法。
【請求項１１２】
前記テレビジョンシステムに提供される前記統合チャンネルガイド情報項目は、前記番組表の各項目に対するソース識別を含む、請求項１０３に記載の方法。
【請求項１１３】
前記生成するステップは、テレビジョン表示スクリーン、コンピュータモニタ、およびプリント媒体のうちの１つに前記統合チャンネルガイド情報項目の前記少なくとも一部分を表示するステップを包含する、請求項１０３に記載の方法。
【請求項１１４】
入力と、第１の伝送方式を用いて伝送された番組を受信する第１のチューナと、第２の伝送方式を用いて伝送された番組を受信する第２のチューナとを有する情報統合システムであって、
前記情報統合システムは、
前記第１の伝送方式を用いて番組を伝送する第１の情報ソースおよび前記第２の伝送方式を用いて番組を伝送する第２の情報ソースから個々のチャンネルガイド情報項目を受信する受信機と、
前記受信機に結合されたマイクロプロセッサであって、前記マイクロプロセッサは、前記個々のチャンネルガイド情報項目を統合チャンネルガイド情報項目にマージする、マイクロプロセッサと、
テレビジョンシステムに前記統合チャンネルガイド情報項目を提供する信号プロバイダであって、前記テレビジョンシステムに提供された前記統合チャンネルガイド情報項目は、少なくとも前記第１の情報ソースおよび前記第２の情報ソースに対する複数の項目を含む番組表を含み、前記番組表に含まれる前記複数の項目のうちの１つの項目は、前記第１の情報ソースから前記第１の伝送方式を用いて伝送された番組に対応し、前記番組表に含まれる前記複数の項目のうちの他の１つの項目は、前記第２の情報ソースから前記第２の伝送方式を用いて伝送された番組に対応する、信号プロバイダと、
前記テレビジョンシステムに結合された表示生成器であって、前記統合チャンネルガイド情報項目の少なくとも一部分の表示を生成する、表示生成器と
を備え、
前記マイクロプロセッサは、前記表示されたチャンネルガイド情報項目の中から、ユーザによって選択された１つのチャンネルガイド情報項目を指定するユーザ選択を受信し、
前記マイクロプロセッサは、前記ユーザ機器装置の前記入力が前記第１のチューナに接続されている場合において、前記ユーザ選択によって指定されたチャンネルガイド情報項目が前記第２の情報ソースから前記第２の伝送方式を用いて伝送された番組に対応する場合には、前記テレビジョンシステム上に表示を出力するために、前記ユーザ選択が受信されたことに応答して、前記テレビジョンシステムの前記入力を前記第１のチューナから前記第２のチューナに切り換え、前記第２のチューナは、前記ユーザ選択によって指定されたチャンネルガイド情報項目に対応する、前記第２の情報ソースから前記第２の伝送方式を用いて伝送された番組を受信する、情報統合システム。
【請求項１１５】
前記表示生成器は、テレビジョン表示スクリーン、コンピュータモニタ、およびプリントデバイスからなるグループから選択される、請求項１１４に記載の情報統合システム。
【請求項１１６】
前記少なくとも１つのテレビジョン信号ソースは、前記第１の情報ソースおよび前記第２の情報ソースのうちの１つである、請求項１１５に記載の情報統合システム。
【請求項１１７】
前記信号プロバイダは、前記マイクロプロセッサに結合されたトランスミッタを含み、前記トランスミッタは、少なくとも１つのテレビジョン信号ソースを介して前記統合チャンネルガイド情報項目を伝送する、請求項１１４に記載の情報統合システム。
【請求項１１８】
前記情報ソースは、ケーブル、放送ソース、直接放送衛星システム、電話回線、およびキーボードからなるグループから選択される、請求項１１４に記載の情報統合システム。
【請求項１１９】
前記テレビジョン信号ソースは、ケーブル、放送ソース、直接放送衛星システムからなるグループから選択される、請求項１１４に記載の情報統合システム。
【請求項１２０】
前記統合チャンネルガイド情報項目は、番号順に従って、順序付けられている、請求項１１４に記載の情報統合システム。
【請求項１２１】
前記統合チャンネルガイド情報項目は、ユーザ定義の順序方式に従って、順序付けられている、請求項１１４に記載の情報統合システム。
【請求項１２２】
前記信号プロバイダは、前記伝送された統合チャンネルガイド情報項目を中継する衛星をさらに含む、請求項１１４に記載の情報統合システム。
【請求項１２３】
前記テレビジョンシステムに提供される前記統合チャンネルガイド情報項目は、前記番組表の各項目に対するソース識別を含む、請求項１１４に記載の情報統合システム。